(57)【要約】【課題】  ２種類の周波数帯を利用し、それぞれの周波数帯を利用可能なアンテナをそれぞれ２本有する移動通信端末において、実装面積削減の目的でアンテナを１本減らしたときに、アンテナ間の切り替えミスが生じないように、一部変更したプログラム、及びこのプログラムを用いた移動通信端末を提供する。【解決手段】  アンテナを切り替えるときに、切り替え先を指定するアンテナ選択信号の出力内容を、切り替え元と切り替え先のアンテナに応じて、変更する。  これにより、該移動通信端末は、アンテナの削減に伴って、この変更を制御する制御手段のプログラムの一部変更と、論理ゲート設置のみで対応可能となり、大規模な設計変更が不要となる。【選択図】      図１０
2007158530.tif 000002
【特許請求の範囲】
【請求項１】
一方の周波数帯を利用可能な第１及び第２のアンテナ、他方の周波数帯を利用可能な第３及び第４のアンテナに対し、それぞれ第１及び第３のアンテナが一方の場所、第２及び第４のアンテナは他方の場所に実装される設計の４本のアンテナ間でアンテナ切り替えを行うとき、同一周波数帯内及び同位置に設置されているアンテナ間で切り替えを行うことが可能なアンテナ制御手段とを含む移動通信端末において、
第１乃至第３のアンテナと、
前記アンテナ制御手段の第４のアンテナを選択する指示に対し、該アンテナを選択させない指示に反転する論理ゲートとを含み、
前記切り替え手段は、利用中のアンテナを切り替えるときに、切り替え先のアンテナが前記第４のアンテナの場合、該第４のアンテナを選択せず、残存アンテナを選択させる制御を行うことを特徴とする移動通信端末。
【請求項２】
前記移動通信端末は、
アンテナ切り替え手段から出力される、現在選択しているアンテナを指定するアンテナ選択信号から前記アンテナ切り替えの切り替え先に対応するアンテナを指定するアンテナ選択信号に変更することによって行われ、
前記制御によって、前記第４のアンテナを指定するアンテナ選択信号は他の残存アンテナを指定するアンテナ選択信号に変更する
ことを特徴とする前記請求項１に記載の移動通信端末。
【請求項３】
前記アンテナ選択信号は、
位置を指定する位置指定信号、
及び利用する周波数帯を指定する周波数帯指定信号
の組み合わせより選択するアンテナを指定する信号であり、
前記制御によって、不在アンテナを指定するアンテナ選択信号は、前記信号のうち、一方の信号を変更させることにより残存アンテナを指定する
ことを特徴とする前記請求項１乃至２のいずれか一項に記載の移動通信端末。
【請求項４】
周波数帯を切り替えるときにおいて、前記第２のアンテナから、前記第４のアンテナへと切り替える場合、前記第３のアンテナを選択する制御を行うことを特徴とする前記請求項１乃至３のいずれか一項に記載の移動通信端末。
【請求項５】
前記移動通信端末は、
前記アンテナ制御手段を有する移動通信端末から、第４のアンテナを削除した端末において用いられることを特徴とした前記請求項１乃至４のいずれか一項に記載の移動通信端末。
【請求項６】
一方の周波数帯を利用可能な第１及び第２のアンテナ、他方の周波数帯を利用可能な第３及び第４のアンテナに対し、それぞれ第１及び第３のアンテナが一方の場所、第２及び第４のアンテナは他方の場所に実装される設計の４本のアンテナ間でアンテナ切り替えを行うとき、同一周波数帯内及び同位置に設置されているアンテナ間で切り替えを行うことが可能なアンテナ制御手段とを含む移動通信端末において、
第１乃至第３のアンテナと、
前記アンテナ制御手段の第４のアンテナを選択する指示に対し、該アンテナを選択させない指示に反転する論理ゲートとを含み、
前記切り替え手段は、利用中のアンテナを切り替えるときに、切り替え先のアンテナが前記第４のアンテナの場合、該第４のアンテナを選択せず、残存アンテナを選択させる制御を行うことを特徴とするアンテナ切り替え制御方法。
【請求項７】
アンテナ切り替え制御方法
前記アンテナ切り替え制御方法は、
アンテナ切り替え手段から出力される、現在選択しているアンテナを指定するアンテナ選択信号から前記アンテナ切り替えの切り替え先に対応するアンテナを指定するアンテナ選択信号に変更することによって行われ、
前記制御によって、不在アンテナを指定するアンテナ選択信号は他の残存アンテナを指定するアンテナ選択信号に変更する
ことを特徴とする前記請求項６に記載のアンテナ切り替え制御方法。
【請求項８】
前記アンテナ選択信号は、
位置を指定する位置指定信号、
及び利用する周波数帯を指定する周波数帯指定信号
の組み合わせより選択するアンテナを指定する信号であり、
前記制御によって、不在アンテナを指定するアンテナ選択信号は、前記信号のうち、一方の信号を変更させることにより残存アンテナを指定する
ことを特徴とする前記請求項７乃至８のいずれか一項に記載のアンテナ切り替え制御方法。
【請求項９】
周波数帯を切り替えるときにおいて、前記第２のアンテナから、前記第４のアンテナへと切り替える場合、前記第３のアンテナを選択する制御を行うことを特徴とする前記請求項６乃至８のいずれか一項に記載のアンテナ切り替え制御方法。
【請求項１０】
前記アンテナ切り替え制御方法は、
前記アンテナ制御手段を有する移動通信端末から、第４のアンテナを削除した端末において用いられることを特徴とした前記請求項６乃至９のいずれか一項に記載のアンテナ切り替え制御方法。
【請求項１１】
前記請求項６乃至１０のいずれか一項に記載のアンテナ切り替え方法を利用可能な移動通信端末。
【請求項１２】
一方の周波数帯を利用可能な第１及び第２のアンテナ、他方の周波数帯を利用可能な第３及び第４のアンテナに対し、それぞれ第１及び第３のアンテナが一方の場所、第２及び第４のアンテナは他方の場所に実装される設計の４本のアンテナ間でアンテナ切り替えを行うとき、同一周波数帯内及び同位置に設置されているアンテナ間で切り替えを行うアンテナ制御手段と、
第１乃至第３のアンテナと、
前記アンテナ制御手段の第４のアンテナを選択する指示に対し、該アンテナを選択させない指示に反転する論理ゲートとを有する移動通信端末において、
前記切り替え手段は、利用中のアンテナを切り替えるときに、切り替え先のアンテナが前記第４のアンテナの場合、
該不在アンテナを選択せず、残存アンテナを選択させる残存アンテナ選択ステップを有するアンテナ切り替え制御プログラム。
【請求項１３】
前記指示は、所定の周波数帯を指定する信号と、所定の位置を指定する信号とからなるアンテナ選択信号であり、前記切り替えは、アンテナ選択信号の信号論理を反転させることで行うことを特徴とする前記請求項１２に記載のアンテナ切り替えプログラム。
【請求項１４】
前記アンテナ切り替えプログラムは、
所定の条件が成立し、同一周波数帯においてアンテナ切り替えを行うときに、
現在利用中の切り替え元アンテナの受信レベルを測定する第１の測定ステップと、
切り替え先アンテナの受信レベルを測定する第２の測定ステップと、
前記アンテナの双方の受信レベルを比較する比較ステップと、
比較した結果、良好な受信レベルを有するアンテナを決定するアンテナ決定ステップと、
前記アンテナ決定ステップの結果に基づいて特定のアンテナを利用する信号に切り替えるアンテナ信号切り替えステップとを有し、
移動通信端末のアンテナ切り替えを行うときは、予め利用している周波数帯を確認する周波数帯確認ステップを加え、該周波数帯確認ステップにより確認された周波数帯において不在アンテナが含まれる場合には、前記第２の測定ステップを省くことを特徴とする前記請求項１３に加工端末向けアンテナ切り替えプログラム。
【請求項１５】
前記アンテナ切り替えプログラムは、
異なる周波数帯のアンテナに切り替わるとき、切り替え先のアンテナが第４のアンテナである場合、第４のアンテナと同じ周波数帯を利用可能な第３のアンテナに変更して選択する残存アンテナ選択ステップを有することを特徴とする前記請求項１３及び１４のいずれか一項に記載のアンテナ切り替えプログラム。
【請求項１６】
前記アンテナ切り替えプログラムは、
前記アンテナ制御手段を有する移動通信端末から、第４のアンテナを削除した端末において用いられることを特徴とした前記請求項１２乃至１５のいずれか一項に記載のアンテナ切り替えプログラム。
【請求項１７】
前記請求項１２乃至１６のいずれか一項に記載のアンテナ切り替えプログラムを利用可能な移動通信端末。
【発明の詳細な説明】
【技術分野】
【０００１】
本発明は、複数種類の送受信用周波数帯を持つと共に、それぞれの周波数帯において効率的なダイバーシチ受信を可能とする移動通信端末に関する。
【背景技術】
【０００２】
利用端末数の増加により、移動通信端末の利用する周波数帯も増え、通信トラフィックの混雑を避けるため、同一の移動通信端末内で複数の周波数帯が利用可能な移動通信端末が登場した。
【０００３】
また、端末保持によるアンテナ感度の低下に対応するため、アンテナを移動通信端末内の別々の箇所に複数設けることで、アンテナ感度の低下時には、使用アンテナの切り替えを行う空間ダイバーシチがある。
【０００４】
従来の複数の周波数に変調された無線信号を受信するデータ伝送の場合、まず、すべてのアンテナに接続された受信機の受信レベルを比較して、受信レベルが最も大きかった受信機を選択し、その受信機と同一の受信周波数を有する各受信機中より、受信レベルの大きい受信機を選択する（特許文献１  特開平９−３０７４９０号公報）構成が知られている。
【０００５】
なお、本構成が開示されている特許文献１には、複数の周波数を利用し、かつそれぞれの周波数ごとに異なる位置に受信機が設置されている移動通信端末として、２つの周波数を利用する受信機をそれぞれ２つ設け、合計４つの受信機を有する移動通信端末としている。
【０００６】
また、同じく複数の周波数帯として、例えば８００ＭＨｚ帯と、１．５ＧＨｚ帯を共用して用いる移動通信端末において、それぞれの周波数帯を利用するアンテナを合計３本有する移動通信端末では、それぞれ別々の位置に配置されているアンテナのアンテナ特性に応じて、それぞれの専用の送受信用アンテナを設け、周波数を変更したときに、それぞれの送受信アンテナと受信専用アンテナを、前記３本のアンテナの中で割り当てて、切り替える構成（特許文献２  特開２００４−１０４１８４号公報）が知られている。
【０００７】
【特許文献１】特開平９−３０７４９０号公報
【特許文献２】特開２００４−１０４１８４号公報
【発明の開示】
【発明が解決しようとする課題】
【０００８】
しかしながら、特許文献１の４つの受信機を有する移動通信端末の場合、利用する周波数の種類が増えるほど、それに対応させる受信機も増加し、端末の実装面積の拡大につながる。
【０００９】
また特許文献２のアンテナ切り替え方法は、アンテナを切替えるアンテナ切り替え回路そのものが、３本のアンテナを有する場合の仕様となっている。
【００１０】
そのため、元々の４本のアンテナを有する移動通信端末向けに作成されたアンテナ切り替え回路などの部品を標準化部品として流用することが不可能である。従って、４本のアンテナを有する移動通信端末の部品を流用する場合に比べ、３本のアンテナを有する移動通信端末への部品を独自に開発するための時間と費用が発生することになる。
【課題を解決するための手段】
【００１１】
本発明では、２周波数帯以上用の受信アンテナをおのおの周波数帯用に２本実装し、手持ち等の影響により本来のアンテナ特性を発揮できない状況下において、良好な受信レベルが得られるアンテナを選択することで通信維持率の向上を意識した設計の無線制御部及びアンテナ部を有する移動通信端末に対し、アンテナ本数を減らすことにより、移動通信端末の小型化を図ると同時に良好な通信状態を維持しようとするものである。
【００１２】
１周波数用のアンテナを１本とした仕様の移動通信端末では、４本のアンテナを有する移動通信端末と同じ回路を用いたアンテナ切り替え方法を用いると、通信不可能な状態になる場合がある。
【００１３】
ここで、本発明は上述の３本のアンテナを有する移動通信端末におけるアンテナ切り替え方法で、従来のアンテナ切り替え方法に対し、ソフトウェアロジックを変更することにより、前記の３本のアンテナを有する移動通信端末において、利用不可能状態の回避を可能とする構成を提供する。
【００１４】
つまり、本発明の移動通信端末におけるアンテナ切り替え方法では、ハードウェアで決定されたタイミングに基づいて、周波数の指定をソフトウェアで制御する設計の移動通信端末において、実装面積削減のため、一方の周波数帯用のアンテナを２本、他方の周波数帯用のアンテナを１本とするアンテナ本数削減を行った場合の良好な受信レベルのアンテナ選択方法を提供する。
【発明の効果】
【００１５】
本発明の効果は、アンテナ本数を削減することで、移動通信端末内のアンテナ実装面積を削減することが可能となるのみに留まらない。
【００１６】
アンテナが２周波数帯用におのおの２本ある移動通信端末向けに開発されたアンテナ切り替え方法に対し、端末の実装面積削減のためにアンテナ本数を削減した場合に対応させて、ソフトウェアロジックを変更するのみで対応可能な点である。
【００１７】
つまり、本発明のアンテナ本数を削減した端末のアンテナ切り替え方法によれば、アンテナが２周波数帯用におのおの２本ある移動通信端末のハードウェアの一部の変更、及びその端末向けに開発されたアンテナ切り替え方法を、ソフトウェアロジックを変更するだけで対応させるため、従来の移動通信端末としての装置仕様を大きく変更せずに、容易に流用可能となる。
【発明を実施するための最良の形態】
【００１８】
本発明の実施の形態の移動通信端末の構成について図面を用いて詳細に説明する。
【００１９】
ここで、本発明の実施の形態の移動通信端末は、従来のアンテナが２周波数帯用におのおの２本ある移動通信端末から、一方の周波数帯を利用するアンテナを１本減じ、論理ゲートを通したアンテナ指定信号に対応させて、ソフトウェアロジックの変更を行ったアンテナ切り替え方法、及びこのアンテナ切り替え方法を実行可能な移動通信端末である。
【００２０】
このため、本発明のアンテナ切り替え方法を用いる移動通信端末と共通の実装部品が用いられ、原型となっている、アンテナが２周波数帯用におのおの２本ある移動通信端末（以下、従来端末２と称する。）の構成及びその移動通信端末におけるアンテナ切り替え方法から説明する。
【００２１】
また、本発明のアンテナ切り替え方法を実施可能な移動通信端末は、原型となる従来端末２との差異を明確にするため、アンテナ加工端末１と称する。
【００２２】
アンテナ加工端末１や、従来端末２で利用可能な複数の周波数帯とは、例えは、１．５ＧＨｚ帯と、８００ＭＨｚ帯であり、ここではこの２種類の周波数帯をＡ及びＢとする。
【００２３】
周波数帯A及び周波数帯Bの各周波数帯用のアンテナのＸ，及びＹは、端末の実装上、それぞれ別々の位置に実装される。
【００２４】
これは端末把持時に使用者が把持する部分に応じて、良好な受信レベルを得られるアンテナ位置が異なることによる配置である。
【００２５】
このため、例えば、把持により一方のアンテナが覆われた場合でも他方のアンテナで受信することにより、手で覆われた影響を少なくし良好な受信レベルのアンテナを選択可能となる。
【００２６】
ここでは、従来端末２、アンテナ加工端末１ともに、図１に示すとおり、アンテナＸは折畳み筐体のヒンジ部分３又はその周辺、アンテナＹは、一方の筐体の下部４に設けているとして説明を進める。
【００２７】
通信状態にある従来端末２において別な周波数帯の無線信号を受信しその周波数帯の受信レベルを測定するためには無線回線上のタイミングを見計らい、自局の従来端末２が通信用データを送受信していないタイミングにて短時間に測定を終了する必要がある。
【００２８】
また、周波数帯の指定はソフトウェアで行うため、アンテナを切り替えるタイミング制御は、ソフトウェア等の遅延が発生しないハードウェアである後述する図２の周波数帯指定部２３０に示される機能ブロックにて実現することが必要となる。
【００２９】
図２は、周波数帯指定信号を発生する周波数帯指定部２３０を含む従来端末２のアンテナ構成のブロック図である。
【００３０】
従来端末１は、プログラム制御により動作するＣＰＵ１００と、従来端末１の無線関連制御及び変調、復調を行う無線制御ＬＳＩ２００と、決定されたアンテナ選択信号及び周波数帯指定信号を受け、選択されたアンテナと送受信機を接続するアンテナ切り替えＬＳＩ３００と、複数の周波数帯の無線電波を受信するアンテナ部４００と、現在利用されているアンテナの受信レベルの測定データを記憶するメモリ６００とを有する。
【００３１】
ＣＰＵ１００は、現在利用中のアンテナの受信レベルを測定し、メモリ６００に測定データを保持させ、アンテナ切り替えの前後で用いられたアンテナの受信レベルを比較する。
【００３２】
そして、良好なアンテナを決定し、このアンテナを指示するアンテナ選択信号を出力する。
【００３３】
さらに、無線制御部ＬＳＩ２００は、周波数帯Ａ用のＴＲＸ部（Transmitter＆Receiver、以下、ＴＲＸ部と称する。）２１０及び周波数帯B用のＴＲＸ部２２０と、ＣＰＵ１００から与えられる周波数帯のパラメータ及びタイミングを受け、そのタイミングに応じてアンテナ切り替え部ＬＳＩ３００に入力する周波数帯指定信号を生成する周波数帯指定部２３０よりなる。
【００３４】
ここで、ＴＲＸ部２１０とは、周波数帯Aの処理を行うため、送信信号制御用の送信機ＴＸ部(Transmitter)２１１、受信信号制御用の受信部ＲＸ部(Receiver)２１２、送信及び受信信号を分離、結合する二重通信部（Duplexer）２１３等を含む送受信部である。
【００３５】
ＴＲＸ部２２０は、ＴＲＸ部２１０と同様に、周波数帯Ｂの処理を行い、送信信号制御用の送信機ＴＸ部(Transmitter)２２１、受信信号制御用の受信部ＲＸ部(Receiver)２２２、送信及び受信信号を分離、結合する二重通信部（Duplexer）２２３等を含む送受信部である。
【００３６】
アンテナ部４００は、Ａ及びＢの２つの周波数帯用を利用できる２本ずつの送受信アンテナからなる４本のアンテナを含む。
【００３７】
それぞれの周波数帯用の特定のアンテナは、周波数帯Ａに対応するアンテナＸが、アンテナ４１１、アンテナＹがアンテナ４１２、及び周波数帯Ｂに対応するアンテナＸがアンテナ４２１、アンテナＹがアンテナ４２２である。
【００３８】
しかし、特定のアンテナを選択している場合には、例えば周波数帯ＡのアンテナＸを選択した場合には、アンテナ（Ａ，Ｘ）４１１と記載する。
【００３９】
またＣＰＵ１００に接続されたメモリ６００には、アンテナ加工端末１及び従来端末２に共通の機能のプログラム、電話番号を記憶する電話帳用情報等のほかに、アンテナ切り替えを行う時のそれぞれのアンテナの受信レベルデータの保持を行う。
【００４０】
次に、アンテナを切り替えるための、アンテナ切り替えＬＳＩ３００について説明する。
【００４１】
図３は、アンテナ切り替えＬＳＩ３００に入力するアンテナ選択信号及びアンテナ選択信号毎のアンテナ部４００及びＴＲＸ部２１０及びＴＲＸ部２２０の選択状態を示す図である。
【００４２】
アンテナ選択信号はＣＰＵ１００より生成され、アンテナＸを指定する信号は、アンテナ選択信号ｘで示し、また、ＣＰＵ１００によって、この信号が反転されると、アンテナYを指定するアンテナ選択信号ｙとなり、アンテナ切り替えＬＳＩ３００はこれらの信号によって所定の位置にあるアンテナを指定する。
【００４３】
無線制御LSI２００中の周波数帯指定部２３０は、ＣＰＵ１００から与えられたタイミング及び周波数のパラメータを元に周波数帯指定信号を生成し、周波数帯Ａを指定する信号は、周波数帯指定信号ａで示される。また、周波数帯指定部２３０によって、この信号が反転されると、周波数帯Ｂを指定する周波数帯指定信号ｂとなり、これらの信号によって所定の周波数帯を指定する。
【００４４】
アンテナ切り替えＬＳＩ３００は、これらの２入力のアンテナ選択信号、及び周波数帯指定信号により４状態を作り、これらの信号により、アンテナ切り替えＬＳＩ３００は、その時々で受信するアンテナ部４００中のアンテナ（４１１、４１２、４２１、４２２）及び無線制御部２００中の無線周波数帯Ａ及び無線周波数帯Ｂ用のＴＲＸ部２１０及び２２０を選択し、接続する。
【００４５】
このように、入力信号の反転の組み合わせにより、４種類のアンテナ部−ＴＲＸ部接続状態が発生する。
【００４６】
例えば、周波数帯ＡのアンテナＸを選択した場合、つまりアンテナ（Ａ，Ｘ）４１１を選択するため、周波数帯指定信号ａ及びアンテナ選択信号ｘの２つの信号がアンテナ切り替えＬＳＩ３００に入力されると、アンテナ切り替えＬＳＩ３００は、アンテナ（Ａ，Ｘ）４１１とＴＲＸ部２１０の接続を行う。
【００４７】
これにより、アンテナ切り替えＬＳＩ３００は、前述したアンテナ選択信号によるアンテナ切り替え、周波数帯指定信号による周波数帯指定を組み合わせて通信中のアンテナ切り替えを行う。
【００４８】
このアンテナ指定による従来端末２のアンテナ切り替え方法は、まず、現在選択されている１周波数帯に関し、無線制御部ＬＳＩ２００でそれらのアンテナの受信レベルを測定し、ＣＰＵ１００で測定結果を比較して、その周波数帯を利用するアンテナの中でよりよい受信レベルのアンテナを選択するアンテナ切り替え方法としている。このアンテナ切り替え方法を、従来端末用アンテナ切り替え方法と称する。
【００４９】
つまり前述する周波数帯ごとの受信レベルチェック時は、アンテナX及びアンテナYの何れを選択しているかを意識する必要はなく、それぞれの受信レベルのみで２者を切り替える方式である。
【００５０】
この従来端末用アンテナ切り替えを行う際のＣＰＵ１００によるソフトウェア上の制御を図４に示す。
【００５１】
最初に、同じ周波数帯を利用するアンテナ間で、アンテナを変更するアンテナ切り替え条件が成立する。（ステップ４１）。ここで、アンテナ切り替え条件が成立するとは、アンテナを選択する状態に遷移して、アンテナを変更可能となる状態であり、アンテナが必ず切り替わることではない。
【００５２】
また、アンテナ切り替え条件が成立する場合とは例えば、通信開始、終了、基地局との同期がずれた場合等、装置特性、設計思考毎に設計された条件である。
【００５３】
その後、ＣＰＵ１００は、現在選択中のアンテナを用いてその周波数帯の受信レベル１回目の測定を行い（ステップ４２）、測定結果をメモリ６００上に保持しておく。
【００５４】
測定結果を保持した後、ＣＰＵ１００で、アンテナ選択信号の論理を反転することで（ステップ４３）、アンテナ切り替えを実施し、再びＣＰＵ１００にて、受信レベル２回目の測定を行い（ステップ４４）、測定結果をメモリ６００上に保持する。
【００５５】
ＣＰＵ１００は、１回目の測定結果と２回目の測定結果を比較し（ステップ４５）、何れかの測定結果が良好であったかを比較判断する。
【００５６】
ここで、元々利用していたアンテナの測定データである１回目の測定データより、アンテナ選択信号を反転させることで切り替えたアンテナで測定した２回目の測定データの方の受信レベルが高かった場合、ＣＰＵ１００は、アンテナ切り替えＬＳＩ３００に対しアンテナ選択信号による切り替えを行わない。すなわちアンテナを切り替えずに２回目の測定時に利用したアンテナのままで利用する。そして、結果的に元々利用していたアンテナから切り替えられることとなる。
【００５７】
逆に、１回目の測定データの方が、受信レベルが良好な場合、再びＣＰＵ１００が、アンテナ選択信号の論理を反転させることで、１回目の測定データを測定したときに利用したアンテナに切り替えて利用する（ステップ４６）。これにより、元々利用していたアンテナで、通信が継続されることとなる。これにより、周波数帯の受信レベルが高かったほうのアンテナを選択でき、良好な受信レベルを確保する。
【００５８】
図５は、この従来端末用アンテナ切り替えにおける動作例を示すシーケンス図である。
図５中のＴ１からＴ９は、アンテナ切り替えのタイミングを示す番号である。
【００５９】
また、図５の上部にある、白黒の帯は、利用している周波数帯であり、斜線部分は周波数帯A、白色部分は周波数帯Bにて通信を行っている期間である。
【００６０】
通信開始後、アンテナ加工端末１は、まず周波数帯Ｂのアンテナ（Ｂ，Ｘ）４２１で通信を行う（Ｔ１）。
【００６１】
アンテナ切り替えの条件が成立し、ＣＰＵ１００は、アンテナ選択信号ｙを出力することで、アンテナを、アンテナ（Ｂ，Ｘ）４２１から、アンテナ（Ｂ，Ｙ）４２２と切り替える（Ｔ２）。
【００６２】
アンテナ（Ｂ，Ｙ）４２２を用いて周波数帯Ｂにて通信中、周波数帯Aの受信レベルを状態監視するためにアンテナ周波数帯指定部２３０は、周波数帯指定信号ａに論理反転することで、アンテナ（Ａ、Ｙ）４１２に変更し、このアンテナの受信レベルをＣＰＵ１００が測定する（Ｔ3）。ＣＰＵ１００が周波数帯Ａの受信レベルを測定した後、測定データをメモリ６００に保持後、アンテナ周波数帯指定部２３０が、周波数帯指定信号ｂに論理反転することで、周波数帯Ｂに戻って（Ｔ４）、アンテナ（Ｂ，Ｙ）４２２のアンテナで、周波数帯Ｂにて通信を継続する。（Ｔ４〜Ｔ５）。この時、ＣＰＵ１００が、メモリ６００に保持されているデータを比較し、Ｔ3〜Ｔ４間で測定した周波数帯Ａの受信レベルが周波数帯Ｂに比べ良好と判断した場合、ＣＰＵ１００はアンテナ選択信号ａに反転することで、周波数帯Ａでの通信状態へ遷移し、アンテナ（Ａ、Ｙ）４１２を利用して通信を行う（Ｔ５）。
【００６３】
ただし、この周波数帯の変更は従来端末２においては、通常ネットワーク指定にて行われるのが一般的である。
【００６４】
その後、同じ周波数帯を利用中に、アンテナ切り替え条件が成立し、アンテナ（Ａ、Ｘ）４１１を用いた通信状態へ遷移する（Ｔ６）。
【００６５】
今度は、周波数帯Ｂの状態監視のため、周波数帯指定部２３０によって論理反転された周波数帯指定信号ｂより、アンテナ（Ａ、Ｘ）４１１と同じ設置場所にある周波数帯Ｂのアンテナ（Ｂ，Ｘ）４２１に切替えられ、ＣＰＵ１００は、受信レベル測定を行う（Ｔ７〜Ｔ８）。
【００６６】
測定後、ＣＰＵ１００にて、周波数帯Ａの受信レベルの方が良好な状態であると判断されたため、周波数帯Ａのアンテナ（Ａ、Ｘ）４１１での通信状態を維持する（Ｔ８〜Ｔ９）。
【００６７】
その後、再びアンテナ切り替え条件が成立し、反転されたアンテナ選択信号ｙより、アンテナ（Ａ、Ｘ）４１１をアンテナ（Ａ、Ｙ）４１２に変更する（Ｔ９）。
【００６８】
このように、アンテナ選択信号によるアンテナ切り替えと、周波数帯指定信号による周波数帯の変更を行い良好な通信状態を維持する。
【００６９】
また、前述のようにアンテナ切り替えと周波数帯変更は非同期に行うので基本的に周波数帯Ａ及びＢで通信中の状態監視のための周波数Ｂ及びＡへの周波数変更時、アンテナＸ、及びＹは特に変更することなく状態監視を行うこととなる。
【００７０】
ここで、本発明の移動通信端末の実施の形態を説明する。
【００７１】
本発明のアンテナ切り替え方法を用いる移動通信端末の実施の形態では、周波数帯Ｂ用アンテナYが実装できないアンテナ加工端末１を想定している。図６は、この端末のハードウェアの変更を明確に示したブロック図である。
【００７２】
アンテナ加工端末１は、図２の従来端末２の構成をそのまま流用した構成であるため、実装部品の相違点は論理ゲート５００の追加及び、周波数帯Ｂ用アンテナYの削除以外は同じである。
【００７３】
すなわち、アンテナ部４００は、周波数帯Ａに対応するアンテナＸであるアンテナ４１１及びアンテナＹであるアンテナ４１２、周波数帯Ｂに対応するアンテナＸであるアンテナ４２１の３本のみで対応する。
【００７４】
無線制御ＬＳＩ２００、及び無線制御LSI２００中の周波数帯指定部２３０は、従来端末２とアンテナ加工端末１も機能としては同じであり、従来端末２の部品を流用可能である。
【００７５】
そのため、アンテナ切り替えの制御を行うとき、３本のアンテナを有するアンテナ加工端末１では、無線制御LSI２００以外のハードウェアとして、論理ゲート５００を追加して、周波数帯Ｂの減じたアンテナＹへのアンテナ選択信号ｙをｘに変更することで、端末毎の仕様の変更を行う。
【００７６】
図７は、前述したアンテナ選択LSI３００及び論理ゲート５００の論理表を示す図である。論理ゲート５００は、単純なＡＮＤ又はORゲート等で構成する。
【００７７】
この論理ゲート５００により、周波数帯指定部２３０の出力内容が、周波数帯指定信号ｂである場合、ＣＰＵ１００からのアンテナ選択信号の出力内容によらずアンテナXを選択する。この変更にともない図７のアンテナ切り替えＬＳＩ３００の入力端子状態に対する論理ゲート出力状態を図３の従来端末２のアンテナ切り替えＬＳＩ真理表から変更しているが、アンテナ切り替えＬＳＩ３００自体は、流用しているため、機能としては図６及び図２共に変更はない。従って、最初に周波数帯Ｂを指定する周波数帯指定信号ｂ、ＣＰＵ１００の出力内容が、アンテナ選択信号ｙ、つまり、アンテナ（Ｂ、Ｙ）４２２を指定する入力端子状態となった場合、論理ゲート５００によりゲート出力信号は変更されアンテナ選択信号ｘとなり、選択されるアンテナ４３０は、アンテナ（Ｂ、Ｘ）４２１となる。
【００７８】
ここで、周波数帯ＢのアンテナＹを設置しないアンテナ加工端末１において、本発明の特徴となるソフトウェアロジックの変更を行うことで実行するアンテナ加工端末用アンテナ切り替え方法を用いず、単純に論理ゲート５００のみで出力信号を変更させることで対応した従来端末用アンテナ切り替え方法を以下に説明する。
【００７９】
従来端末用アンテナ切り替え方法を用いてアンテナ切り替え処理を行った場合でも、論理ゲート５００があるため、図７に示すように、アンテナ（Ｂ，Ｙ）４２２を指定する信号ｙは、論理ゲート５００によって反転され、アンテナ（Ｂ，Ｘ）４２１を指定するアンテナ選択信号ｘに変更される。
【００８０】
しかしながら、論理ゲート５００を設けたのみでソフトウェアロジックを変更しない従来端末用アンテナ切り替え方法を用いて、図５のアンテナ切り替えにおける動作例に従って従来端末用アンテナ切り替えを行おうとする場合、通信不可能な状態となる場合がある。
【００８１】
この通信不可能状態となる場合について、図４の従来端末用アンテナ切り替え方法を用いた場合のアンテナ加工端末１のアンテナ切り替えの状態遷移として、図８に記す。
【００８２】
通信開始後、まず周波数帯Ｂのアンテナ（Ｂ，Ｘ）４２１で通信を行う（Ｔ１）。
【００８３】
アンテナ切り替えの条件が成立し、その後に利用するアンテナは、アンテナ（Ｂ，Ｙ）４２２であると認識されると、ＣＰＵ１００は、アンテナを、（Ｂ，Ｘ）４２１から、（Ｂ，Ｙ）４２２と切り替えを指示するアンテナ選択信号ｙを生成する（Ｔ２）。
【００８４】
しかし、アンテナ選択信号ｙは、アンテナ加工端末１に設置されている論理ゲート５００により、アンテナ（Ｂ，Ｙ）４２２ではなく、（Ｂ，Ｘ）４２１を選択するアンテナ選択信号ｘに反転される。
【００８５】
アンテナ（Ｂ，Ｘ）４２１にて通信を行う間（Ｔ２〜Ｔ3）、ＣＰＵ１００が、現在のアンテナ（Ｂ，Ｘ）４２１の受信レベルを測定し、その測定データをメモリ６００に保持したあと、周波数帯指定部２３０が、周波数帯Aの受信レベルを状態監視するために、周波数帯指定信号ａに反転させることにより、アンテナ（Ａ、Ｙ）を選択する（Ｔ3）。
【００８６】
しかしながら、Ｔ２からＴ３にかけて、前述した理由より、実際に利用中のアンテナは、（Ｂ，Ｘ）４２１であるが、ＣＰＵ１００から出力されている信号の内容は、アンテナ選択信号ｙのままであるため、ＣＰＵ１００では、現在利用中のアンテナは、アンテナ（Ｂ，Ｙ）４２２であると認識されている。
【００８７】
このために、ＣＰＵ１００が、周波数帯Ａの受信レベルをチェックするときに、利用中と認識されているアンテナ（Ｂ，Ｙ）４２２と、同じ場所に設けられているアンテナ（Ａ、Ｙ）４１２を選択してしまう（Ｔ3）。
【００８８】
そのため、ＣＰＵ１００の指示により、周波数帯Aのアンテナ（Ａ，Ｙ）４１２の受信レベルを測定し、測定データをメモリ６００に保持した後、再び周波数帯Bに戻ったときも、ＣＰＵ１００は、アンテナ（Ａ，Ｙ）４１２と同じ側にあるアンテナ（Ｂ、Ｙ）４２２選択していると判断し、それゆえに、周波数帯指定部２３０は周波数帯指定信号ｂを、ＣＰＵ１００は、アンテナ選択信号ｙを出力する。しかしながら、このとき、論理ゲート５００により、アンテナ選択信号ｙは、アンテナ選択信号ｘに変更されるため、実際の利用アンテナは、アンテナ（Ｂ、Ｙ）ではなく、アンテナ（Ｂ，Ｘ）４２１となる（Ｔ４〜Ｔ５）。
【００８９】
上述の流れに示される通り、ＣＰＵ１００からのアンテナ選択信号ａの内容と、論理ゲート５００の追加による実際の利用アンテナとが食い違うため、ＣＰＵ１００が誤認した結果、通信不良を招く場合がある。
【００９０】
つまりアンテナＸ及びＹは装置上異なる実装位置にあるため、端末を把持するために手で覆われる影響などによる受信電波妨害で、アンテナＸでは通信状態は良好でも、アンテナＹ側の受信レベルが良好であることは保障できなくなることがある。
【００９１】
例えば、図８中のＴ２からＴ４における周波数帯遷移の場合、ＣＰＵ１００が、周波数帯Ｂの受信レベルをアンテナＸにて測定し、周波数帯ＡではアンテナYにて測定を行うことになる。周波数帯Ａの受信レベルは良好である場合、アンテナＸは把持による障害がないため、アンテナ（Ａ，Ｘ）４１１を用いた場合の通信状態は良好となるのに、Ｔ３における遷移では、アンテナ（Ａ，Ｙ）４１２の受信レベルを測定してしまうため、ＣＰＵ１００においては、周波数帯Aの受信レベルが悪く、通信状態は良好ではないと判断されてしまう場合もある。
【００９２】
この場合、実際の周波数帯Ａの受信レベルは良好であるにもかかわらず、周波数帯Aへの通信状態遷移は発生せず、図８のＴ５のとき、受信レベルの悪い周波数帯Ｂを選択したままとなり、最悪の場合、通信が維持できなくなる。
【００９３】
そのため、この誤認を防ぐためにソフトウェアロジックの変更によって、論理ゲート５００を設けたアンテナ加工端末１のアンテナ切り替え方法を変更して通信状態の改善を図る。
【００９４】
つまり、本発明のアンテナ切り替え方法では通信しているのが周波数帯Ｂだと判断した場合、周波数帯によらずアンテナはアンテナXを必ず選択する。
【００９５】
ソフトウェアロジックを変更することで受信レベル状態が保障できない周波数帯AのアンテナY側を使用することはなくなり、図１０中のＴ3、Ｔ４に記すように周波数帯Ａに遷移するときは、アンテナＸを用いて測定する。
【００９６】
このように、選択するアンテナをＸとすることにより、周波数帯Ｂで同じ設置場所として使用中であるため、受信レベルが保障できることになる。Ｔ3、Ｔ４で周波数帯ＡのアンテナＸを使用することによりその後の受信レベルの判断で周波数帯Ａ及び周波数帯Ｂの受信レベルを誤った判断をすることなく、Ｔ５での通信周波数帯変更が可能となる。その結果、良好な通信状態での通信維持が可能となる。
【００９７】
そこで、従来端末２の実装部品を流用し、アンテナ本数の削減及びアンテナ選択信号の変更を行う論理ゲート５００の設置の２箇所のみを変更したアンテナ加工端末１に対して、アンテナ切り替え方法を対応させるために従来端末用アンテナ切り替え方法の、ソフトウェアロジックの変更を２箇所で行う。
【００９８】
本発明のソフトウェアロジックの変更によるアンテナ切り替え方法の変更点は、以下の点である。
【００９９】
第１の変更点は、無線制御ＬＳＩ２００の有する周波数帯指定部２３０で周波数帯Ｂを選択した場合は、利用するアンテナは（Ｂ、Ｘ）を指定することである。それは、周波数帯変更時の利用可能アンテナを制限するためである。
【０１００】
第２の変更点は、周波数帯Ｂにおいて通信中に、周波数帯Ａに変更する場合、アンテナ（Ａ、Ｘ）４１１を利用することである。これは論理ゲート出力信号により、周波数帯がBの場合、アンテナＸを固定で選択されたアンテナ（Ｂ、Ｘ）４２１であるため、周波数帯Ａに移行した場合は、常に同じ側にあるアンテナ（Ａ、Ｘ）４１１を利用していると認識する必要があるためである。
【０１０１】
すなわち、前述の通り、アンテナ切り替えと周波数帯変更は非同期に行うので基本的に周波数帯Ａ及びＢで通信中の状態監視のための周波数Ｂ及びＡへの周波数変更時、アンテナＸ、及びＹは特に変更することなく状態監視を行うこととなるためである。
【０１０２】
以下、アンテナ切り替え方法について説明する。
【０１０３】
このソフトウェアロジックの変更点を、従来端末２のアンテナ切り替えを行う流れを示す図４に対して、図９は、アンテナ加工端末用アンテナ切り替えを行う際のソフトウェア上の制御を示すフローチャートである。
【０１０４】
図４に対する、図９の相違はＳ９１ａにおいて、周波数帯Ｂであることの判別と、周波数帯がＢであった場合、アンテナをアンテナＸ固定とする点（Ｓ９１ｂ）である。
【０１０５】
まず、同じ周波数帯を利用するアンテナ間で、アンテナを変更するアンテナ切り替え条件が成立する（ステップ９０）。アンテナ切り替え条件の成立は例えば、通信開始、終了、基地局との同期がずれた場合等、装置特性、設計思考毎に条件を設計する。
【０１０６】
ここで、本発明の差異点となる、現在選択中のアンテナの周波数帯がＢであるかの判別を行う（ステップ９１ａ）。
【０１０７】
この判別は、ＣＰＵ１００より決定されたアンテナの周波数を認識することにより行われる。したがって、従来端末２でも行われている判別であるが、従来端末では、アンテナ切り替えに利用周波数帯の判別は直接関わらないため、図４では、フローチャートに加えていない。
【０１０８】
周波数帯がＢの場合は、ソフトウェアロジックの第１の変更点に示した通り、アンテナ（Ｂ、Ｘ）４２１を選択して、通信を行う（ステップ９１ｂ）。
【０１０９】
周波数帯がＡである場合は、アンテナ切り替えは、従来端末２と同様に、ＣＰＵ１００が選択中のアンテナを用いてその周波数帯の受信レベル１回目の測定を行い（ステップ９２）、測定結果をメモリ６００上に保持しておく。
測定結果を保持した後、ＣＰＵ１００は、アンテナ選択信号の論理を反転することで（ステップ９３）、アンテナを切り替え、受信レベル２回目の測定を行い（ステップ９４）、測定結果をメモリ６００上に保持する。
続いて、ＣＰＵ１００が１回目の測定結果と２回目の測定結果を比較し（ステップ９５）、何れかの測定結果が良好であったかを比較して判断する。
【０１１０】
ここで、元々利用していたアンテナの測定データである１回目の測定データより、アンテナ選択信号を反転させて切り替えたアンテナで測定した２回目の測定データの方が、受信レベルが高かった場合、アンテナは切り替えずに２回目の測定時に利用したアンテナのままで利用する。
【０１１１】
逆に、１回目の測定データの受信レベルの方が良好な場合、再びアンテナ選択信号を論理反転させることで、１回目の測定データを測定したときに利用したアンテナに切り替えて利用する（ステップ９６）。この操作により、周波数帯の受信レベルが高かったほうのアンテナを選択し、良好な受信レベルを確保する。
【０１１２】
次に本発明のアンテナ加工端末用アンテナ切り替えにおける状態遷移図をソフトウェアロジックの２点の変更点を挙げて、図１０に示す。
【０１１３】
なお、図１０中のＴ１からＴ９は、アンテナ切り替えのタイミングを示す番号である。
【０１１４】
ここで、従来端末を示す図５と図１０のソフトウェアロジックの変更の２箇所とは、第１の変更点に対して、周波数帯Ｂを選択した場合、Ｔ２のアンテナ切り替えを行ったときにアンテナはアンテナXのみ選択する点、第２の変更点に対応して、Ｔ3からＴ４の周波数帯Ｂにて通信をしている場合には周波数帯Ａを測定する場合もアンテナXのみ使用する点として示される。
【０１１５】
まず、通信開始後、まず周波数帯Ｂのアンテナ（Ｂ，Ｘ）４２１を選択して通信を行う（Ｔ１）。
【０１１６】
Ｔ２にて、アンテナ切り替え条件が成立するが、周波数帯指定信号ｂであり、アンテナ（Ｂ，Ｙ）４２２を指定するアンテナ選択信号ｙは論理ゲート５００によりアンテナ選択信号ｘに変更されるため、結果的にアンテナ（Ｂ，Ｘ）４２１のまま、通信を継続する。
【０１１７】
周波数帯Aの受信レベルを状態監視するために、周波数帯指定部２３０より、周波数帯指定信号ａを出力することで、周波数帯をＡに変更し、アンテナ（Ａ、Ｘ）４１１にて測定する（Ｔ3）。このあと、周波数帯Ｂに戻ってアンテナ（Ｂ，Ｘ）４２１で通信を続ける（Ｔ４）。
【０１１８】
ここで、周波数帯Ｂの測定を行うときに、アンテナ（Ｂ、Ｘ）４２１を選択するのは、アンテナ加工端末用アンテナ切り替え方法におけるソフトウェアロジックの第１の変更点である。
【０１１９】
また、図１０のＴ３において、周波数帯Ａに変更したときに、アンテナ（Ａ、Ｘ）４１１を選択するのは、ソフトウェアロジックの第２の変更点である。
【０１２０】
この変更点に従って、ＣＰＵ１００は、周波数帯Aのアンテナ（Ａ，Ｘ）４１１の受信レベルを測定し、再び周波数帯Bに戻って（Ｔ４）、アンテナ（Ｂ，Ｘ）４２１を用いて通信継続する（Ｔ４〜Ｔ５）。
【０１２１】
受信レベル測定の結果、ＣＰＵ１００によって、Ｔ3〜Ｔ４間で測定した周波数帯Aのアンテナ（Ａ，Ｘ）４１１の受信レベルが周波数帯Ｂのアンテナ（Ｂ，Ｘ）４２１に比べ良好と判断された場合、周波数帯指定部２３０により、周波数帯指定信号が反転され、周波数帯Ａのアンテナ（Ａ，Ｘ）４１１を用いる通信状態へ遷移し通信状態を維持する（Ｔ５）。
【０１２２】
また、周波数帯Ａにおいて、アンテナ切り替え条件が成立するが、前述の図９のフローチャートに沿ったアンテナ受信レベル測定の結果、アンテナＸの受信レベルが良好であったため、継続してアンテナ（Ａ、Ｘ）４１１を選択して通信を継続する（Ｔ６〜Ｔ７）。
【０１２３】
但し、この周波数帯の変更はアンテナ加工端末１においては通常ネットワーク指定にて行われるのが一般的である。
【０１２４】
今度は周波数帯Ｂの状態監視のため、ＣＰＵ１００は、利用しているアンテナを、アンテナ（Ａ、Ｘ）４１１から変更し、周波数帯Ｂのアンテナ（Ｂ，Ｘ）４２１の受信レベル測定を行う（Ｔ７）。
【０１２５】
測定後、ＣＰＵ１００によって、周波数帯Aのアンテナ（Ａ，Ｘ）４１１の受信レベルが良好な状態であると判断されたため、周波数帯Ａのアンテナ（Ａ，Ｘ）４１１を用いて、通信状態を維持する（Ｔ８〜Ｔ９）。
【０１２６】
その後、再びアンテナ切り替え条件が成立し、アンテナ（Ａ，Ｘ）４１１をアンテナ（Ａ，Y）４１２に変更し、周波数帯Ａにおける通信が継続される（Ｔ９）。
【０１２７】
本発明の二つの周波数帯を利用し、それぞれの周波数帯を利用するアンテナが２本と１本を有するアンテナ加工端末１の場合、上述のアンテナ切り替えと周波数帯の変更を行うアンテナ加工端末用アンテナ切り替え方法を用いて、良好な通信状態を維持する。
【０１２８】
また、従来の４本のアンテナを有する従来端末２と同様に、アンテナ切り替えと周波数帯変更は非同期に行うので、基本的に周波数帯Ａ及びＢで通信中の状態監視のための周波数帯Ｂ及びＡへの周波数帯の変更時、アンテナは特に変更することなく状態監視を行うこととなる。
【図面の簡単な説明】
【０１２９】
【図１】複数の周波数帯を利用する複数のアンテナを有する端末におけるアンテナ配置の例である。
【図２】従来端末の無線送受信に関する回路のブロック図である。
【図３】従来端末の有するアンテナの指定に関する信号の入出力真理値表である。
【図４】従来端末用アンテナ切り替えの流れを示すフローチャートである。
【図５】従来端末用アンテナ切り替え方法を用いた従来端末におけるアンテナの遷移状態を示す遷移図である。
【図６】本発明の実施の形態のアンテナ加工端末の無線送受信に関する回路のブロック図である。
【図７】本発明の実施の形態のアンテナ加工端末の有するアンテナの指定に関する信号の入出力真理値表である。
【図８】従来端末用アンテナ切り替え方法を用いたアンテナ加工端末におけるアンテナの遷移状態を示す遷移図である。
【図９】アンテナ加工端末用アンテナ切り替えの流れを示すフローチャートである。
【図１０】アンテナ加工端末用アンテナ切り替え方法を用いたアンテナ加工端末におけるアンテナの遷移状態を示す遷移図である。
【符号の説明】
【０１３０】
１００    ＣＰＵ
２００    無線制御ＬＳＩ
２１０    周波数帯Ａ用ＴＲＸ部
２１１    周波数帯Ａ用ＴＸ部
２１２    周波数帯Ａ用ＲＸ部
２１３    周波数帯Ａ用Ｄｕ  ｐｌｅｘｅｒ
２２０    周波数帯Ｂ用ＴＲＸ部
２２１    周波数帯Ａ用ＴＸ部
２２２    周波数帯Ａ用ＲＸ部
２２３    周波数帯Ａ用Ｄｕ  ｐｌｅｘｅｒ
２３０    周波数帯指定部
３００    アンテナ切り替えＬＳＩ
４００    アンテナ部
４１１    周波数帯ＡアンテナＸ
４１２    周波数帯ＡアンテナＹ
４２１    周波数帯ＢアンテナＸ
４２２    周波数帯ＢアンテナＹ
５００    論理ゲート
６００    メモリ
【図１】
2007158530.tif 000003
【図２】
2007158530.tif 000004
【図３】
2007158530.tif 000005
【図４】
2007158530.tif 000006
【図５】
2007158530.tif 000007
【図６】
2007158530.tif 000008
【図７】
2007158530.tif 000009
【図８】
2007158530.tif 000010
【図９】
2007158530.tif 000011
【図１０】
2007158530.tif 000012